(57)【要約】【課題】無線通信端末からでも容易にサーバへの電子ファイルの格納を行うことができ、２次元バーコードを用いて無線通信端末から容易にサーバへのアクセスを行うことができ、かつアクセスした無線通信端末の機種に応じて適切な電子ファイルの配信を行うことができる電子ファイル配信システムを提供すること。【解決手段】この電子ファイル配信システムＳ１は、電子メールに添付された送信ファイル２７ａを受信する受信部３２と、受信部３２によって受信された送信ファイル２７ａを複製するファイル複製部３４と、複製ファイル２９ａの拡張子を変更する拡張子変更部３６と、送信ファイル２７ａ及び複製ファイル２９ａを記憶するための記憶装置２０と、送信ファイル２７ａ及び複製ファイル２９ａを、一のＵＲＬに対応するディレクトリ２６ａに格納するファイル格納部３８と、携帯電話機３からのファイル配信要求に基づいて送信ファイル２７ａ又は複製ファイル２９ａのうち少なくともいずれか一の電子ファイルを配信するファイル配信部４２と、を有する。【選択図】図１
2008003705.tif 000002
【特許請求の範囲】
【請求項１】
電子メールに添付された送信ファイルを受信する受信部と、
該受信部によって受信された前記送信ファイルを複製するファイル複製部と、
前記複製ファイルの拡張子を変更する拡張子変更部と、
前記送信ファイル及び前記複製ファイルを記憶するための記憶装置と、
前記送信ファイル及び前記複製ファイルを、前記記憶装置内であって一の領域指定情報に対応する記憶領域に格納するファイル格納部と、
無線通信端末からのファイル配信要求に基づいて前記送信ファイル又は前記複製ファイルのうち少なくともいずれか一の電子ファイルを配信するファイル配信部と、を有する電子ファイル配信システム。
【請求項２】
前記送信ファイルを格納すべき前記記憶領域を前記電子メールのメールアドレスに基づいて判断する記憶領域判断部と、
前記一の領域指定情報を含む２次元バーコードが捺印可能なスタンプと、をさらに有する請求項１に記載の電子ファイル配信システム。
【請求項３】
前記受信部が前記無線通信端末の機種情報を受信し、
該機種情報に基づいて前記送信ファイル又は前記複製ファイルの中から選択された一の電子ファイルのみを前記ファイル配信部が配信する、請求項１又は請求項２に記載の電子ファイル配信システム。
【請求項４】
前記ファイル配信部が、
前記無線通信端末からのファイル配信要求に基づいて前記送信ファイル又は前記複製ファイルの中から選択された一の電子ファイルを優先的に配信し、
前記一の電子ファイルの配信後に前記受信部が前記無線通信端末からの再生不可情報を受信した場合に前記送信ファイル又は前記複製ファイルの中から選択された他の電子ファイルを配信する、請求項１又は請求項２に記載の電子ファイル配信システム。
【請求項５】
前記記憶領域に前記送信ファイル及び前記複製ファイルのいずれもが格納されていない場合に初期登録案内ファイルを配信する、請求項３又は請求項４に記載のファイル配信システム。
【請求項６】
コンピュータに、
電子メールに添付された送信ファイルを受信する受信機能、
受信された前記送信ファイルを複製するファイル複製機能、
前記複製ファイルの拡張子を変更する拡張子変更機能、
前記送信ファイル及び前記複製ファイルを、記憶装置内であって一の領域指定情報に対応する記憶領域に格納するファイル格納機能、
前記送信ファイルを格納すべき前記記憶領域を前記電子メールのメールアドレスに基づいて判断する記憶領域判断機能、及び、
前記無線通信端末からのファイル配信要求及びその機種情報に基づいて前記送信ファイル又は前記複製ファイルの中から選択された一の電子ファイルのみを配信するとともに前記記憶領域に前記送信ファイル及び前記複製ファイルのいずれもが格納されていない場合に初期登録案内ファイルを配信するファイル配信機能、
を実現させる電子ファイル配信プログラム。
【発明の詳細な説明】
【技術分野】
【０００１】
本発明は、電子ファイル配信システム及び電子ファイル配信プログラムに係り、特に動画ファイルをサーバコンピュータ内に格納し、携帯情報端末・携帯電話機等情報通信機器に対して配信する電子ファイル配信システム及び電子ファイル配信プログラムに関する。
【背景技術】
【０００２】
近年、携帯電話機や携帯情報端末等の無線通信端末の多機能化は著しい。例えば携帯電話機においては、通常の通話機能の他に電子メール送受信機能、インターネット接続機能、画像撮影及び再生機能、動画撮影及び再生機能、音声（音楽）録音及び再生機能、２次元バーコード読取り機能等が実現されている。
【０００３】
このうち、電子メール送受信機能においては、電子ファイルを電子メールに添付して送信したり、電子メールに添付された電子ファイルを受信する機能も実現されている。電子ファイルの一例としては、テキストファイルやＨＴＭＬファイル等のドキュメントファイルの他に、例えば画像ファイル、動画ファイル、音声ファイル等がある。これらの電子ファイルを受信すると、携帯電話機内部の画像再生機能、動画再生機能、音声再生機能によって画像ファイル、動画ファイル、音声ファイルをその場で再生し、確認することもできるようになっている。
【０００４】
２次元バーコード読取り機能としては、２次元バーコードの一例としてのＱＲコード（登録商標）の読取り機能が普及している。例えば、紙に印刷された２次元バーコードやコンピュータの画面上に表示された２次元バーコードを携帯電話機のカメラで撮影すると、２次元バーコード読取り機能によりその２次元バーコードが指標する文字情報が携帯電話機の画面上に表示される。その文字情報がインターネットのＵＲＬである場合に携帯電話機でそのＵＲＬを選択し確定操作を行うと、インターネット接続機能によりそのＵＲＬに対応するサーバコンピュータ（以下、サーバという。）にアクセスすることができるようになっている。
【０００５】
このように、携帯電話機の２次元バーコード読取り機能を利用したものとして、例えば特許文献１に開示のものがある。また、携帯電話機の動画再生機能を利用したシステムとして、例えば特許文献２に開示のものがある。
【特許文献１】特開２００５−１７４２５７
【特許文献２】特開２００６−１２１６１４
【発明の開示】
【発明が解決しようとする課題】
【０００６】
しかし、携帯電話機の動画再生機能は規格統一されておらず、機種によって再生可能な動画ファイルが異なる場合がある。したがって、ある携帯電話機で再生可能な動画ファイルが他の携帯電話機において再生可能であるとは限らないという問題がある。そのため、携帯電話機の２次元バーコード読取り機能を利用してサーバにアクセスした場合に、そのサーバ内に所定ファイル形式の動画ファイルが格納されていても、その動画ファイルを再生できる携帯電話機の種類が限られてしまう。
【０００７】
また、携帯電話機自体はファイルをサーバにアップロードする機能を有していないため、携帯電話機によってサーバ内に動画ファイルを格納することが現状では非常に困難である。ファイルアップロード機能を携帯電話機に搭載すると携帯電話機の大型化、高コスト化に繋がってしまうので、望ましくない。
【０００８】
携帯電話機によって、例えば動画ファイルや音声ファイルを簡単にサーバに格納することができ、また、それらのファイルを様々な携帯電話機で機種を問わずに簡単に再生できれば非常に便利であり、また、趣味的な利用の幅も広げることができる。
【０００９】
例えば、商品の紹介映像や紹介メッセージを動画ファイル、音声ファイルとしてサーバに格納しておき、そのサーバに対応するＵＲＬを商品に記載しておけば、商品購入前に消費者がそのサーバにアクセスして紹介映像や紹介メッセージを視聴することができて大変便利である。また、例えば、個人が自己紹介の映像やメッセージを動画ファイル、音声ファイルとしてサーバに格納しておき、そのサーバに対応するＵＲＬを名刺に記載しておけば、名刺交換した相手がそのサーバにアクセスしてその個人の自己紹介映像やメッセージを視聴することができて大変便利である。
【００１０】
サーバに対応するＵＲＬを記載する代わりに２次元バーコードを印刷しておけば、サーバへのアクセスがよりいっそう簡単となって望ましく、例えば２次元バーコードを捺印可能なスタンプを利用すれば、予め印刷しなくても後から捺印により記載することができる。
【００１１】
本発明は上記の事情に鑑みて為されたもので、新規かつ画期的で、商品紹介や自己紹介等に便利に利用可能な電子ファイル配信システム及び電子ファイル配信プログラムを提供することを課題とする。
【００１２】
より具体的には、無線通信端末からでも容易にサーバへの電子ファイルの格納を行うことができ、２次元バーコードを用いて無線通信端末から容易にサーバへのアクセスを行うことができ、かつアクセスした無線通信端末の機種に応じて適切な電子ファイルの配信を行うことができる電子ファイル配信システム及び電子ファイル配信プログラムを提供することを本発明の例示的課題とする。
【課題を解決するための手段】
【００１３】
上記の課題を解決するために、本発明の例示的側面としての電子ファイルの配信システムは、電子メールに添付された送信ファイルを受信する受信部と、受信部によって受信された送信ファイルを複製するファイル複製部と、複製ファイルの拡張子を変更する拡張子変更部と、送信ファイル及び複製ファイルを記憶するための記憶装置と、送信ファイル及び複製ファイルを、記憶装置内であって一の領域指定情報に対応する記憶領域に格納するファイル格納部と、無線通信端末からのファイル配信要求に基づいて送信ファイル又は複製ファイルのうち少なくともいずれか一の電子ファイルを配信するファイル配信部と、を有する。
【００１４】
この電子ファイルの配信システムによれば、電子メールに添付された送信ファイルを受信して自動的に記憶領域に格納することができる。無線通信端末側に電子メールを送信する機能さえあれば、電子ファイルをアップロードする機能がなくても無線通信端末から電子ファイルを記憶領域に格納することができるので、大変便利である。電子ファイルアップロード機能を無線通信端末側に持たせる必要がないので、無線通信端末の小型化・低コスト化に寄与することができる。
【００１５】
また、送信ファイルを複製し、その複製ファイルの拡張子を変更して送信ファイルとともに一の領域指定情報に対応する記憶領域に格納するので、データ構造が同じでかつ異なる拡張子を有する２種類の電子ファイル（送信ファイルと複製ファイル）を自動的に同一領域に格納することができる。したがって、必要に応じて送信ファイル又は複製ファイルの少なくともいずれか一の電子ファイルを配信することができ、どちらの拡張子に対応する無線通信端末からのファイル配信要求に対しても問題なく対応する電子ファイルを配信することができる。送信ファイルから１つの複製ファイルを作成してもよいし、２つ以上の複製ファイルを作成してもよい。２つ以上の複製ファイルを作成した場合は、もちろん各複製ファイルの拡張子を互いに異なる拡張子に変更してもよい。
【００１６】
ここで、領域指定情報は、インターネット上でのアドレスに対応するＵＲＬ（Ｕｎｉｆｏｒｍ  Ｒｅｓｏｕｒｃｅ  Ｌｏｃａｔｏｒ）を含む概念である。一の領域指定情報に対応する記憶領域は、例えば、記憶装置内で複数に区分された記憶領域であって、一のＵＲＬに対応するディレクトリを含む概念である。また、無線通信端末は、携帯電話機、携帯情報端末等を含み、電子ファイルは、動画ファイル、静止画像ファイル、音声ファイル、テキストファイル等を含むものとする。
【００１７】
その電子ファイルの配信システムが、送信ファイルを格納すべき記憶領域を電子メールのメールアドレスに基づいて判断する記憶領域判断部と、一の領域指定情報を含む２次元バーコードが捺印可能なスタンプと、をさらに有してもよい。
【００１８】
送信ファイルを格納すべき記憶領域を電子メールのメールアドレスに基づいて判断するので、電子メール送信者の認証を確実に行うことができる。メールアドレスごとに記憶装置内に確保された記憶領域にそのメールアドレスからの電子メールに添付された送信ファイルを格納するので、送信ファイルの管理を確実に行うことができる。
【００１９】
また、一の領域指定情報を含む２次元バーコードが捺印可能なスタンプを有しているので、スタンプの捺印により誰でも簡単にその電子ファイルの配信要求をすることができる。例えば、記憶装置内の所定のディレクトリと所定のＵＲＬとを予め対応付けしておき、そのディレクトリ内に動画ファイルを格納しておく。ディレクトリに対応するＵＲＬ情報を含む印面を有するスタンプを捺印し、その印影を２次元バーコード読取り可能な携帯電話機により読み取ると、携帯電話機によって簡単にそのディレクトリにアクセスして動画ファイルを再生することが可能となる。
【００２０】
このように、２次元バーコードを捺印可能なスタンプでＵＲＬ情報を名刺や商品に捺印することにより、その名刺や商品に接した者が簡単にその人物や商品の紹介動画を視聴することができる。したがって、商品販売促進やビジネス面において大変便利である。スタンプにより捺印するので、予め印刷しておく必要もない。
【００２１】
また、受信部が無線通信端末の機種情報を受信し、機種情報に基づいて送信ファイル又は複製ファイルの中から選択された一の電子ファイルのみをファイル配信部が配信してもよい。
【００２２】
無線通信端末の機種情報に基づいて送信ファイル又は複製ファイルを配信するので、送信ファイルのみに対応可能な無線通信端末にも複製ファイルのみに対応可能な無線通信端末にも問題なく電子ファイルを配信することができる。
【００２３】
ファイル配信部が、無線通信端末からのファイル配信要求に基づいて送信ファイル又は複製ファイルの中から選択された一の電子ファイルを優先的に配信し、一の電子ファイルの配信後に受信部が無線通信端末からの再生不可情報を受信した場合に送信ファイル又は複製ファイルの中から選択された他の電子ファイルを配信してもよい。
【００２４】
例えば、無線通信端末からのファイル配信要求に基づいて、まず送信ファイルを配信する。その送信ファイルが無線通信端末で再生不可能であった場合に無線通信端末から送信された再生不可情報を受信すると、今度は複製ファイルを配信する。これにより、無線通信端末が送信ファイルにのみ対応する場合でも複製ファイルにのみ対応する場合でも無線通信端末に対応可能な電子ファイルを配信することができる。
【００２５】
記憶領域に送信ファイル及び複製ファイルのいずれもが格納されていない場合に初期登録案内ファイルを配信してもよい。
【００２６】
記憶領域に送信ファイル及び複製ファイルのいずれもが格納されていない場合に初期登録案内ファイルを配信するので、この電子ファイル配信システムを初めて利用するユーザの無線通信端末に、自動的に初期登録案内画面を表示させることができる。
【００２７】
本発明の他の例示的側面としての電子ファイルの配信プログラムは、コンピュータに、電子メールに添付された送信ファイルを受信する受信機能、受信された送信ファイルを複製するファイル複製機能、複製ファイルの拡張子を変更する拡張子変更機能、送信ファイル及び複製ファイルを、記憶装置内であって一の領域指定情報に対応する記憶領域に格納するファイル格納機能、送信ファイルを格納すべき記憶領域を電子メールのメールアドレスに基づいて判断する記憶領域判断機能、及び、無線通信端末からのファイル配信要求及びその機種情報に基づいて送信ファイル又は複製ファイルの中から選択された一の電子ファイルのみを配信するとともに記憶領域に送信ファイル及び複製ファイルのいずれもが格納されていない場合に初期登録案内ファイルを配信するファイル配信機能、を実現させる。
【００２８】
本発明の更なる目的又はその他の特徴は、以下添付図面を参照して説明される好ましい実施の形態によって明らかにされるであろう。
【発明の効果】
【００２９】
本発明によれば、無線通信端末からでも容易に電子ファイル配信用サーバへの電子ファイルの格納を行うことができる。また、２次元バーコードを用いて無線通信端末から容易にサーバへのアクセスを行うことができ、かつアクセスした無線通信端末の機種に応じて適切な電子ファイルの配信を行うことができる。ひいては、商品紹介や自己紹介の映像やメッセージを簡単かつ確実に各種の無線通信端末に配信することができ、商品販売や趣味・ビジネス面での用途に便利に適用することができる。
【００３０】
その他にも、災害時の緊急連絡用途に利用可能である。災害時等は被災地域周辺での電話連絡が困難となる場合が多い。しかし、送信ファイルを格納する記憶領域に対応するＵＲＬを予め友人や親類等に教えておけば、自分が被災したときに無事であることを知らせる動画ファイルや音声ファイル等をその記憶領域に格納することにより、その記憶領域にアクセスした友人等に無事を知らせることができる。送信ファイルの記憶領域に対応するＵＲＬを複数の友人等に教えておけば、電話連絡が困難な場合であっても、複数の友人等がいつでも被災者の無事を確認することができる。
【００３１】
また、２次元バーコードの形状が複雑であり複製が比較的困難であることを利用して、個人認証用途に利用することができる。例えば、会社の社員の社員証に各社員ごとに対応する２次元バーコードを記載しておく。そしてその２次元バーコードのＵＲＬに対応する記憶領域に、各社員の顔写真・社員番号・所属先等の社員情報を含む静止画ファイルやテキストファイル等を格納しておく。そうすれば、社員の認証が必要なときに社員証の２次元バーコードを読み取れば、社員の顔と顔写真や社員情報とを照合することができる。
【００３２】
ここで、「ＵＲＬを教える」こと、「２次元バーコードを記載する」ことには、対応するＵＲＬ情報を含む２次元バーコードが印面に刻印されたスタンプを捺印すること、その２次元バーコードが記載されたシールを貼付すること、その２次元バーコードが記載されたカードを配布すること、その２次元バーコードの画像ファイルを送信又は配信すること等が含まれる。
【発明を実施するための形態】
【００３３】
［実施の形態１］
以下、本発明に係る電子ファイル配信システムについて図面を用いて説明する。図１は、本発明の実施の形態１に係る電子ファイル配信システムＳ１を一部に含むネットワークシステムの全体構成を示す概略ブロック図である。このネットワークシステムは、携帯電話機（無線通信端末）２〜４、基地局６〜８、インターネット網Ｗ、電子ファイル配信システムＳ１を含んで大略構成されている。
【００３４】
携帯電話機２は、通常の通話機能の他に、電子メール送受信機能、インターネット接続機能、撮影機能、ファイル再生機能、２次元バーコード読取り機能を有するが、いずれについても詳細な説明は省略する。また、携帯電話機２〜４は、それぞれ異なる機種であり、それぞれ異なる携帯電話会社に対応するものであるが、携帯電話機３，４についても構成は略同様であるのでこれらについての詳細な説明も省略する。
【００３５】
電子メールにはテキストファイル、画像ファイル、動画ファイル、音声ファイル等の各種電子ファイルを添付して送受信することが可能となっている。また、携帯電話機２のカメラ部２ａ（図２参照）によって静止画（画像）や動画を撮影し、撮影した画像や動画等を携帯電話機２内部のメモリに画像ファイル、動画ファイルとして保存することができるようになっている。なお、携帯電話機２〜４はいずれも動画ファイルの保存機能、再生機能を有しているが、その対応ファイル形式が異なっている。例えば、本実施の形態１においては、携帯電話機２，４は、後述する送信ファイルの形式に対応し、送信ファイル形式の動画ファイルを保存、再生可能であるが、後述する複製ファイルの形式には非対応で、複製ファイル形式の動画ファイルを保存、再生できない。また、携帯電話機３は、複製ファイルの形式に対応し、複製ファイル形式の動画ファイルを保存、再生可能であるが、送信ファイルの形式には非対応で、送信ファイル形式の動画ファイルを保存、再生できない。
【００３６】
携帯電話機２の２次元バーコード読取り機能及びインターネット接続機能を使用すると、インターネット網Ｗを介して所望のサーバに簡単に接続することができるようになっている。例えば、図２に示すように、携帯電話機２のカメラ部２ａによってＱＲコード（登録商標）に代表されるような２次元バーコード１０を撮影すると、携帯電話機２の表示画面２ｂに２次元バーコード１０が指標するＵＲＬ（領域指定情報）１２ａが表示される。表示されたＵＲＬ１２ａを携帯電話機２のボタンにより選択・確定すると、インターネット網Ｗを介してＵＲＬ１２ａに対応するサーバの記憶領域に簡単にアクセスすることができる。
【００３７】
基地局６は、携帯電話機２と無線通信可能な通信装置であって、インターネット網Ｗ及び図示しない電話網に接続されている。携帯電話機２から他の電話機に電話をかけると基地局６は携帯電話機２と無線通信を行い、電話網を介して携帯電話機２と他の電話機との通話を仲介する。また、携帯電話機２が電子メールの送受信を行うときやインターネット接続を行うとき、基地局６は携帯電話機２と無線通信を行い、インターネット網Ｗを介して携帯電話機２と他のサーバ、パーソナルコンピュータ、無線通信端末等とのデータ送受信を仲介する。
【００３８】
基地局６〜８は、それぞれ異なる携帯電話会社の基地局である。携帯電話機２は基地局６とは無線通信可能であるが、基地局７，８と無線通信不可能とされている。同様に、携帯電話機３は基地局７と無線通信可能であるが、基地局６，８と無線通信不可能とされ、携帯電話機４は基地局８と無線通信可能であるが、基地局６，７と無線通信不可能とされている。
【００３９】
しかしながら、インターネット網Ｗや電話網を介して各基地局６〜８が接続されており、携帯電話機２〜４は相互に通話やデータ送受信を行うことが可能となっている。基地局７，８の構成及び機能については、基地局６と略同様であるので詳細な説明は省略する。
【００４０】
電子ファイル配信システムＳ１は、ファイル配信サーバ１４を有して構成される。そのファイル配信サーバ１４の内部構成の概略を図３に示す。ファイル配信サーバ１４は、インターネット網Ｗに接続されたサーバコンピュータであり、内部にＣＰＵ（コンピュータの主要部）１６、メインメモリ１８、記憶装置２０を有して構成される。
【００４１】
ＣＰＵ１６は、このファイル配信サーバ１４のコンピュータとしての主要部であり、メインメモリ１８、記憶装置２０と接続されている。ＣＰＵ１６は、メインメモリ１８と協働して、記憶装置２０内部に格納された電子ファイル配信プログラム３０に基づいて様々な演算処理を行うものである。
【００４２】
記憶装置２０は、プログラムや電子ファイルを格納するためのものである。記憶装置２０の記憶領域は個人情報格納部２４と送信ファイル格納部２６とを有しており、送信ファイル格納部２６は複数のディレクトリ２６ａ〜２６ｃに区分されている。
【００４３】
個人情報格納部２４は、この電子ファイル配信システムＳ１を利用するユーザが初期登録を行った際に入力したユーザの個人情報を格納する領域である。個人情報の例としては、ユーザの氏名、住所、連絡先、生年月日、メールアドレス、ユーザＩＤ、パスワード等が考えられる。これらは相互に関連付けられて個人情報格納部２４内に格納されている。
【００４４】
送信ファイル格納部２６は、ユーザが電子メールに添付して送信した送信ファイル２７ａ〜２７ｃやその送信ファイルを複製した複製ファイル２９ａ〜２９ｃを格納するための領域である。送信ファイル格納部２６内のディレクトリ２６ａ〜２６ｃは、それぞれ異なるＵＲＬ（領域指定情報）１２ａ〜１２ｃに対応しており、そのＵＲＬ１２ａ〜１２ｃを指定することによりインターネット網Ｗを介して簡単にディレクトリ（一のＵＲＬに対応する記憶領域）２６ａ〜２６ｃにアクセスすることが可能となっている。
【００４５】
ディレクトリ２６ａ〜２６ｃは、それぞれユーザごとに対応して割り当てられている。例えば、一のユーザが送信した送信ファイル２７ａは、その一のユーザに割り当てられたディレクトリ２６ａ内に格納されるようになっている。一のユーザとディレクトリ２６ａとの割当ては、一のユーザのメールアドレスに基づいて行われている。したがって、一のユーザが送信ファイル２７ａを添付して電子メールを送信すると、その送信元のメールアドレスに基づいて格納すべきディレクトリ２６ａが判断されるようになっている。もちろん、他のユーザとディレクトリ２６ｂ，２６ｃとの割当てはそれらのユーザのメールアドレスに基づいて行われ、他のユーザによって送信された送信ファイルはディレクトリ２６ｂ，２６ｃ内に格納されるようになっている。
【００４６】
さらに、記憶装置２０内部には初期登録案内ファイル２８、電子ファイル配信プログラム３０が格納されている。
【００４７】
初期登録案内ファイル２８は、この電子ファイル配信システムＳ１を初めて利用するユーザの携帯電話機２の表示画面２ｂに表示する初期登録案内画面を含んでいる。例えば、ディレクトリ２６ａ内に送信ファイル２７ａ及び複製ファイル２９ａのいずれもが格納されていない場合に、この初期登録案内ファイル２８が配信されて一のユーザの携帯電話機２の表示画面２ｂに初期登録案内画面が表示されるようになっている。
【００４８】
電子ファイル配信プログラム３０は、ファイル配信サーバ１４のＣＰＵ１６に、受信部３２、ファイル複製部３４、拡張子変更部３６、ファイル格納部３８、ディレクトリ判断部（記憶領域判断部）４０、及び、ファイル配信部４２としての機能を発揮させるためのプログラムである。
【００４９】
受信部３２は、ユーザの携帯電話機２〜４から送信された電子メールに添付された送信ファイル２７ａ〜２７ｃを受信する機能を有する。ファイル複製部３４は、受信部によって受信された送信ファイル２７ａ〜２７ｃをそれぞれ複製し、複製ファイル２９ａ〜２９ｃを作成する機能を有する。
【００５０】
拡張子変更部３６は、作成された複製ファイル２９ａ〜２９ｃの拡張子を変更する。例えば送信ファイル２７ａが拡張子「．３ｇｐ」を有している場合、複製ファイル２９ａの拡張子を「．３ｇ２」に変更する。また、例えば送信ファイル２７ｂが拡張子「．３ｇ２」を有している場合、複製ファイル２９ｂの拡張子を「．３ｇｐ」に変更する。その他、どのような送信ファイルの拡張子に対して、複製ファイルの拡張子をどのように変更するかは、システム構成上の設計事項であり、適宜選択可能である。
【００５１】
ファイル格納部３８は、送信ファイル２７ａ〜２７ｃ及び拡張子が変更された複製ファイル２９ａ〜２９ｃをディレクトリ２６ａ〜２６ｃにそれぞれ格納する機能を有する。ここで、一のユーザの携帯電話機２から送信された送信ファイル２７ａ及びその複製ファイル２９ａはディレクトリ２６ａに格納される。一のユーザとディレクトリ２６ａとの対応付けは、携帯電話機２のメールアドレスに基づいて行われており、ディレクトリ判断部４０が、送信ファイル２７ａが添付された電子メールの送信元メールアドレスに基づいて、格納すべきディレクトリ２６ａを判断する。
【００５２】
ファイル配信部４２は、携帯電話機２〜４からのファイル配信要求（アクセス要求）に基づいてディレクトリ２６ａ〜２６ｃ内に格納されている送信ファイル２７ａ〜２７ｃ又は複製ファイル２９ａ〜２９ｃの配信を行う機能を有する。そのファイル配信要求は、携帯電話機２〜４からファイル配信サーバ１４へ向けてファイル配信要求信号が送信されることにより行われる。
【００５３】
ファイル配信要求信号は、携帯電話機の機種情報とディレクトリ２６ａ〜２６ｃのいずれかを指定するＵＲＬ１２ａ〜１２ｃの情報（以下、ＵＲＬ情報４４ｂという。）とを含んでいる。例えば、図２に示すように、携帯電話機２によってＵＲＬ１２ａの情報を含む２次元バーコード１０を読取り、インターネット接続を行うことにより、携帯電話機２の機種情報４５ａ及びディレクトリ２６ａに対応するＵＲＬ１２ａのＵＲＬ情報４４ｂを含むファイル配信要求信号４５を携帯電話機２から送信することができるように構成されている。
【００５４】
ファイル配信要求信号４５が受信部３２によって受信されると、受信部３２からファイル配信部４２へ機種情報４５ａ及びＵＲＬ情報４４ｂが送られる。ファイル配信部４２は、受け取ったＵＲＬ情報４４ｂに基づいて、配信すべき電子ファイルの格納先であるディレクトリ２６ａを選択する。そして、受け取った機種情報４５ａに基づいて、配信先である携帯電話機２がディレクトリ２６ａ内の送信ファイル２７ａ又は複製ファイル２９ａのいずれに対応しているかを判断し、対応する一の電子ファイルのみを選択して携帯電話機２に向けて配信する。
【００５５】
また、ファイル配信部４２は、ディレクトリ２６ａ内に送信ファイル２７ａ及び複製ファイル２９ａのいずれもが格納されていない場合は、上述の初期登録案内ファイル２８を携帯電話機２に向けて配信する。それにより、一のユーザが初めてこの電子ファイル配信システムＳ１を利用する場合に携帯電話機２の表示画面２ｂに初期登録案内画面を表示させることができるようになっている。
【００５６】
一のユーザが初期登録を行う場合、送信ファイル２７ａを送信する場合、又は一若しくは他のユーザがディレクトリ２６ａ内の電子ファイルの配信を要求する場合のいずれの場合も、このディレクトリ２６ａに対応するＵＲＬ１２ａを指定することにより、インターネット網Ｗを介してディレクトリ２６ａにアクセスする必要があるが、ＵＲＬ１２ａをわざわざ手入力するのは大変面倒である。
【００５７】
その場合、図４に示すような、印面部４６にＵＲＬ１２ａの情報を含む２次元バーコード１０が刻印されたスタンプ４８を利用することもできる。このスタンプ４８を電子ファイル配信システムＳ１の一部として構成することもできる。すなわち、ディレクトリ２６ａに対応するＵＲＬ１２ａの情報を含む２次元バーコード１０が刻印されたスタンプ４８、ディレクトリ２６ｂに対応するＵＲＬ１２ｂの情報を含む２次元バーコードが刻印された別のスタンプ、ディレクトリ２６ｃに対応するＵＲＬ１２ｃの情報を含む２次元バーコードが刻印されたさらに別のスタンプ等の複数のスタンプを含んでこの電子ファイル配信システムＳ１を構成するのである。それにより、各スタンプを購入したユーザがそれぞれにディレクトリ２６ａ〜２６ｃを自己の送信ファイル２７ａ〜２７ｃを格納する記憶領域として利用することができる。
【００５８】
次に、この電子ファイル配信システムＳ１の利用方法について図５に示すフローチャートを用いて説明する。ここでは、動画ファイルとしての送信ファイル２７ａ〜２７ｃ及び複製ファイル２９ａ〜２９ｃについて説明するが、もちろん送信ファイル２７ａ〜２７ｃ及び複製ファイル２９ａ〜２９ｃは、静止画像ファイル、音声ファイル、テキストファイル、その他のファイル種であってもよい。
【００５９】
まず、一のユーザがスタンプ４８を購入する（Ｓ．１）。スタンプ４８には、ディレクトリ２６ａに対応するＵＲＬ１２ａの情報を含む２次元バーコード１０が予め刻印されている。一のユーザが、そのスタンプ４８を捺印し（Ｓ．２）、ＵＲＬ１２ａの情報を携帯電話機２で読取ってファイル配信サーバ１４のディレクトリ２６ａにアクセスする（Ｓ．３）。初めてアクセスした場合、すなわち、アクセス時にディレクトリ２６ａ内に送信ファイル２７ａも複製ファイル２９ａも格納されていない場合（Ｓ．４）、ディレクトリ２６ａ内に送信ファイル２７ａも複製ファイル２９ａも入っていないので、携帯電話機２の表示画面２ｂに初期登録案内画面が表示される（Ｓ．５）。
【００６０】
画面の指示に従い、一のユーザが個人情報（メールアドレスを含む）を入力し、データ送信すると（Ｓ．６）、一のユーザの個人情報がファイル配信サーバ１４内の個人情報格納部２４に格納される。それとともに、一のユーザの（すなわち携帯電話機２の）メールアドレスとディレクトリ２６ａとが関連付けられ、一のユーザにディレクトリ２６ａが割り当てられる（Ｓ．７）。
【００６１】
続いて、一のユーザが携帯電話機２から送信ファイル２７ａを添付した電子メールをファイル配信サーバ１４に向けて送信する（Ｓ．８）。ファイル配信サーバ１４側では、電子メールを受信すると、そのメールアドレスに基づいてディレクトリ２６ａが選択され、ディレクトリ２６ａ内に受信した送信ファイル２７ａを格納する（Ｓ．９）。それとともに、送信ファイル２７ａを複製した複製ファイル２９ａを作成し、その複製ファイルの拡張子を変更した上で、同一のディレクトリ２６ａ内に格納する（Ｓ．１０）。
【００６２】
例えば送信ファイル２７ａの拡張子が「．３ｇｐ」の場合、複製ファイル２９ａの拡張子を「．３ｇ２」とする。また、例えば送信ファイル２７ａの拡張子が「．３ｇ２」の場合、複製ファイル２９ａの拡張子を「．３ｇｐ」とする。
【００６３】
ここで、ディレクトリ２６ａ内に送信ファイル２７ａ及び複製ファイル２９ａが格納されている状態で、再び携帯電話機２から新たな送信ファイルが送信された場合は、格納されている送信ファイル２７ａを上書きするとともに、複製ファイルも新たな複製ファイルに上書きするように構成されていてもよい。
【００６４】
一のユーザとは異なる他のユーザが、スタンプ４８によって捺印された２次元バーコード１０を読取って別の携帯電話機３からディレクトリ２６ａにアクセスしてきた場合、携帯電話機３の機種情報４４ａ及びディレクトリ２６ａに対応するＵＲＬ情報４４ｂを含むファイル配信要求信号４４がファイル配信サーバ１４に送られる（Ｓ．１１）。ファイル配信サーバ１４は、ＵＲＬ情報４４ｂに基づいてディレクトリ２６ａを選択する（Ｓ．１２）。そして、携帯電話機３の機種情報４４ａに基づいて、ディレクトリ２６ａ内に格納された送信ファイル２７ａ又は複製ファイル２９ａの中から、携帯電話機３に対応する方の電子ファイルを選択して配信する。例えば携帯電話機３が送信ファイル２７ａに対応せず、複製ファイル２９ａに対応している場合は、携帯電話機３に向けて複製ファイル２９ａを配信する（Ｓ．１３）。携帯電話機３は、対応する複製ファイル２９ａを受け取るので、問題なく動画再生を楽しむことができる。
【００６５】
なお、携帯電話機２からのアクセス時にディレクトリ２６ａ内に送信ファイル２７ａ及び複製ファイル２９ａが格納されている場合（Ｓ．４）、携帯電話機２の機種情報４５ａ及びディレクトリ２６ａに対応するＵＲＬ情報４４ｂを含むファイル配信要求信号４５がファイル配信サーバ１４に送られ（Ｓ．１４）、携帯電話機２に対応する送信ファイル２７ａがフィル配信サーバ１４から携帯電話機２に向けて配信される（Ｓ．１５）。
【００６６】
［実施の形態２］
上記の実施の形態１では、ファイル配信要求信号４４に機種情報４４ａ及びＵＲＬ情報４４ｂが含まれ、機種情報４４ａに基づいて送信ファイル２７ａ又は複製ファイル２９ａの中から選択された一の電子ファイルのみ（上記実施の形態１では複製ファイル２９ａ）を配信する構成となっている。
【００６７】
しかし、ファイル配信要求信号４４が機種情報４４ａを含まない場合に、ファイル配信サーバ１４が、まず優先的に送信ファイル２７ａを携帯電話機３に向けて配信するように構成してもよい。そして、携帯電話機３が送信ファイル２７ａに対応していない場合に携帯電話機３からの再生不可情報を受信すると、ファイル配信サーバ１４が複製ファイル２９ａを携帯電話機３に向けて配信しなおす、という構成にしてもよい。
【００６８】
このように構成することにより、ファイル配信要求信号４４に機種情報４４ａを含ませる必要がなくなり、信号送受信の負荷も軽減され、機種情報４４ａを取得する必要もなくなり、また、携帯電話機の新たな機種が発売された場合であっても簡単に対応することが可能となる。
【００６９】
以上、本発明の好ましい実施の形態を説明したが、本発明はこれらに限定されるものではなく、その要旨の範囲内で様々な変形や変更が可能である。
【産業上の利用可能性】
【００７０】
本発明は、商品販売・サービス提供業における商品紹介・サービス内容紹介用途に利用可能である。また、営業・異業種交流等のビジネス分野、趣味・娯楽分野における自己紹介用途にも利用可能である。その他にも、災害時における緊急連絡用途、セキュリティ分野における個人認証用途に利用可能である。
【図面の簡単な説明】
【００７１】
【図１】本発明の実施の形態１に係る電子ファイル配信システムＳ１を一部に含むネットワークシステムの全体構成を示す概略ブロック図である。
【図２】図１に示す携帯電話機によって２次元バーコードを読み取る様子を説明する図である。
【図３】図１に示すファイル配信サーバの内部構成を示す概略ブロック図である。
【図４】印面部にＵＲＬ情報を含む２次元バーコードが刻印されたスタンプの外観図である。
【図５】図１に示す電子ファイル配信システムの利用方法を説明するためのフローチャートである。
【符号の説明】
【００７２】
Ｓ１：電子ファイル配信システム
２〜４：携帯電話機（無線通信端末）
２ａ：カメラ部
２ｂ：表示画面
６〜８：基地局
１０：２次元バーコード
１２ａ〜１２ｃ：ＵＲＬ（領域指定情報）
Ｗ：インターネット網
１４：ファイル配信サーバ
１６：ＣＰＵ（コンピュータの主要部）
１８：メインメモリ
２０：記憶装置
２４：個人情報格納部
２６：送信ファイル格納部
２６ａ〜２６ｃ：ディレクトリ（一のＵＲＬに対応する記憶領域）
２７ａ〜２７ｃ：送信ファイル
２８：初期登録案内ファイル
２９ａ〜２９ｃ：複製ファイル
３０：電子ファイル配信プログラム
３２：受信部
３４：ファイル複製部
３６：拡張子変更部
３８：ファイル格納部
４０：ディレクトリ判断部（記憶領域判断部）
４２：ファイル配信部
４４，４５：ファイル配信要求信号
４４ａ，４５ａ：機種情報
４４ｂ：ＵＲＬ情報
４６：印面部
４８スタンプ
【図１】
2008003705.tif 000003
【図２】
2008003705.tif 000004
【図３】
2008003705.tif 000005
【図４】
2008003705.tif 000006
【図５】
2008003705.tif 000007